(57)【要約】【課題】  取り付け状態等に応じて高さを自由に調節できる防護柵を提供する。【解決手段】  横長な取り付け体４に下端を固着して縦向きな棒状の柵本体５，６を複数間隔をおいて横方向に並設する。柵本体５は取り付け体４に下端を固着した縦向きの支柱部７と、該支柱部７に縦方向に摺動自在に設けられる柵本体上部８と、該柵本体上部８を所定高さで支柱部７に固定可能な固定手段９とを備える。また第１及び第２の柵本体上部８，14を連結部材15を介して一体に設ける。第１及び第２の支柱部７，13に第１及び第２の柵本体上部８，14を高さ調節自在に固定することで、防護柵本体５，６の高さｈ，Ｈを自由に調節できる。【選択図】図１
0003103690.tif 000002
【実用新案登録請求の範囲】
【請求項１】
縦向きな棒状の防護柵本体を複数間隔をおいて並設した防護柵において、前記防護柵本体は下部に設けられる支柱部と、該支柱部の上部に設けられる柵本体上部と、前記支柱部と前記柵本体上部を高さ調節自在に固定する固定手段とを備えることを特徴とする防護柵。
【請求項２】
取り付け体に下端を固着して縦向きな棒状の柵本体を複数間隔をおいて横方向に並設した防護柵において、前記柵本体は前記取り付け体に下端を固着した縦向きの支柱部と、該支柱部に縦方向に摺動自在に設けられる柵本体上部と、該柵本体上部を所定高さで前記支柱部に固定可能な固定手段とを備えることを特徴とする防護柵。
【請求項３】
横長な取り付け体に下端を固着して縦向きな棒状の柵本体を複数間隔をおいて横方向に並設した防護柵において、
前記柵本体は、前記取り付け体に下端を固着した縦向きの第１の支柱部と、該第１の支柱部に縦方向に摺動自在に設けられる第１の柵本体上部と、該第１の柵本体上部を所定高さで前記第１の支柱部に固定可能な固定手段を備えた第１の柵本体と、
前記取り付け体に下端を固着した縦向きの第２の支柱部と、該第２の支柱部に縦方向に摺動自在に設けられる第２の柵本体上部を備えた第２の柵本体と、
前記第１及び第２の柵本体上部を一体に連結する連結部材を設けたことを特徴とする防護柵。
【請求項４】
前記支柱部は筒状に形成されると共に、前記柵本体上部は前記支柱部に挿入する軸状に形成され、前記固定手段は前記支柱部に外周側より内周側に螺入して前記第１の柵本体上部を固定する螺子部材であることを特徴とする請求項１〜３のいずれか１項に記載の防護柵。
【請求項５】
前記連結部材に横向きの突起を設けたことを特徴とする請求項３記載の防護柵。
【請求項６】
前記防護柵を複数横方向に並設すると共に、隣接する防護柵における前記連結部材の隣接する端相互を連結して固定する連結固定手段を設けることを特徴とする請求項３又は４に記載の防護柵。
【考案の詳細な説明】
【技術分野】
【０００１】
本考案は、例えば侵入者を阻止するための防護柵に関するものである。
【背景技術】
【０００２】
従来、この種のものとして塀の上面に取り付ける横長な取り付け板に下端を固着した縦向きな棒状の柵本体を複数間隔をおいて並設すると共に、該柵本体の上端を先鋭に形成し、かつ柵本体の中段に敷地外へ向けて剣先状の突起を設けたものが公知である。（例えば、特許文献１）
【特許文献１】意匠登録第１１７２６２３号公報
【考案の開示】
【考案が解決しようとする課題】
【０００３】
防護柵の取り付けにあって、例えば防護柵の上方には邪魔なもの、例えば防護柵の近くに樹木などがあったような場合にはこの樹木を避けるように防護柵の高さ調節を行なう必要がある。しかしながら、従来の防護柵においては取り付け板に柵本体の下端を固着したものであり全高が一定であったので、樹木を避けるような箇所のために全高を低くした防護柵を別途準備して工事をしなければならなかった。したがって、メーカにおいては各種高さの防護柵を製作しなければならず、一方施工業者においては各種高さの防護柵を手配して取り付けなければならなかった。
【０００４】
解決しようとする問題点は、取り付け状態等に応じて高さを自由に調節できる防護柵を提供する点である。
【課題を解決するための手段】
【０００５】
請求項１の考案は、縦向きな棒状の防護柵本体を複数間隔をおいて並設した防護柵において、前記防護柵本体は下部に設けられる支柱部と、該支柱部の上部に設けられる柵本体上部と、前記支柱部と前記柵本体上部を高さ調節自在に固定する固定手段とを備えることを特徴とする防護柵である。
【０００６】
請求項２の考案は、取り付け体に下端を固着して縦向きな棒状の柵本体を複数間隔をおいて横方向に並設した防護柵において、前記柵本体は前記取り付け体に下端を固着した縦向きの支柱部と、該支柱部に縦方向に摺動自在に設けられる柵本体上部と、該柵本体上部を所定高さで前記支柱部に固定可能な固定手段とを備えることを特徴とする防護柵である。
【０００７】
請求項３の考案は、横長な取り付け体に下端を固着して縦向きな棒状の柵本体を複数間隔をおいて横方向に並設した防護柵において、
前記柵本体は、前記取り付け体に下端を固着した縦向きの第１の支柱部と、該第１の支柱部に縦方向に摺動自在に設けられる第１の柵本体上部と、該第１の柵本体上部を所定高さで前記第１の支柱部に固定可能な固定手段を備えた第１の柵本体と、
前記取り付け体に下端を固着した縦向きの第２の支柱部と、該第２の支柱部に縦方向に摺動自在に設けられる第２の柵本体上部を備えた第２の柵本体と、
前記第１及び第２の柵本体上部を一体に連結する連結部材を設けたことを特徴とする防護柵である。
【０００８】
請求項４の考案は、前記支柱部は筒状に形成されると共に、前記柵本体上部は前記支柱部に挿入する軸状に形成され、前記固定手段は前記支柱部に外周側より内周側に螺入して前記第１の柵本体上部を固定する螺子部材であることを特徴とする請求項１〜３のいずれか１項に記載の防護柵である。
【０００９】
請求項５の考案は、前記連結部材に横向きの突起を設けたことを特徴とする請求項３記載の防護柵である。
【００１０】
請求項６の考案は、前記防護柵を複数横方向に並設すると共に、隣接する防護柵における前記連結部材の隣接する端相互を連結して固定する連結固定手段を設けることを特徴とする請求項３又は４に記載の防護柵である。
【考案の効果】
【００１１】
請求項１の考案によれば、支柱部に柵本体上部を高さ調節自在に固定することで、取り付け状態等に応じて防護柵本体の高さを自由に調節できる。
【００１２】
請求項２の考案によれば、取り付け体を所定場所に取り付けることにより、複数の柵本体を同時に取り付けできると共に、支柱部に柵本体上部を高さ調節自在に固定することで、取り付け状態等に応じて防護柵本体の高さを自由に調節できる。
【００１３】
請求項３の考案によれば、取り付け体を所定場所に取り付けることにより、第１及び第２の柵本体を同時に取り付けできると共に、第１及び第２の柵本体上部を連結部材を介して一体に設けているので、いずれかの柵本体上部を昇降すると他の柵本体上部も同時に昇降するので、第１及び第２の柵本体上部の高さ調節を容易に行なうことができ、さらに支柱部に柵本体上部を高さ調節自在に固定することで、取り付け状態等に応じて防護柵本体の高さを自由に調節できる。
【００１４】
請求項４の考案によれば、筒状の支柱部に軸状の柵本体上部を挿入して昇降することにより、両者間の芯ずれが少なく高さ調節をすることができる。
【００１５】
請求項５の考案によれば、横向きの突起を連結部材を介して設けることで、突起の取り付けなどを容易に行なうことができる。
【００１６】
請求項６の考案によれば、隣接する防護柵における連結部材の端相互を連結固定手段により連結して固定することで、複数横方向に並設する防護柵を確実に取り付けすることができる。
【考案を実施するための最良の形態】
【００１７】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１８】
図１〜図３は実施例１を示しており、図１〜図２に示すように敷地を区画するため等のコンクリート或いはレンガなどにより形成された塀１の上端面２に設けられる侵入者阻止用の第１の柵３は、ステンレス鋼等金属により形成されるものであって、横長な板状の取り付け体４に下端を固着して縦向き棒状の第１及び第２の柵本体５，６を少なくとも３本、実施例では１つの取り付け体４に７本が間隔をおいて横方向に並設している。
【００１９】
取り付け体４の両側に設けられる第１の柵本体５はそれぞれ取り付け体４に下端を固着した縦向きの第１の支柱部７と、該第１の支柱部７に縦方向に摺動自在に設けられる第１の柵本体上部８と、該第１の柵本体上部８を所定高さで第１の支柱部７に固定可能な固定手段９を備える。そして、第１の支柱部７は円筒状に形成されると共に、第１の柵本体上部８は第１の支柱部７に挿入する軸状に形成されており、さらに固定手段９は第１の支柱部７の上端側に第１の支柱部７の軸線Ｚと直交する方向に雌螺子部材10が設けられており、操作用頭部11を形成した雄螺子部材12が雌螺子部材10に螺合すると共に、雄螺子部材12の先端は第１の支柱部７の外周側７Ａより内周側７Ｂへ貫通して第１の柵本体上部８の外周を押圧し、第１の柵本体上部８を所定高さｈとなるように固定するようになっている。
【００２０】
前記取り付け体４の内側に設けられる残りの５本の第２の柵本体６は、取り付け体４に下端を固着した縦向きの第２の支柱部13と、該第２の支柱部13に縦方向に摺動自在に設けられる第２の柵本体上部14を備えており、第２の支柱部13は筒状に形成されると共に、第２の柵本体上部14は第２の支柱部13に挿入する軸状に形成されている。
【００２１】
また、前記第１及び第２の柵本体上部８，14は連結部材15を介して一体に設ける。この連結部材15は、第１の柵本体上部８とそれに隣接する第２の柵本体上部14との間、隣接する第２の柵本体上部14相互間に１枚の板状部材によって設けられる。さらに、連結部材15には先鋭な突起16を斜め上方横向きに設けている。尚、この突起16の横向き方向は、固定手段９と反対側に設けられる。さらに、前記第１及び第２の支柱部７，13は補強部材17を介して一体に設ける。この補強部材17は、第１の支柱部７とそれに隣接する第２の支柱部13との間、隣接する第２の支柱部８相互間にパイプ部材によって設けられる。
【００２２】
図３に示すように防護柵３，３´を複数横方向に並設すると共に、隣接する防護柵３，３´における前記連結部材15の隣接する端相互を連結するように、端に孔15Ａが設けられ、そしてこの孔15Ａに、上方より一方の連結固定手段たるボルト18及び座金18Ａを設け、一方下方より他方の連結固定手段たるボルト18が螺着するナット19及び座金19Ａを設けて、連結部材15の端相互を連結して固定している。
【００２３】
次に前記構成についてその作用を説明する。図１〜図２に示すように予め第１及び第２の支柱部７，13に第１及び第２の柵本体上部８，14を一体的に挿入した状態で、柵本体５，６が上向きとなるように塀１の上端面２に第１の柵３の取り付け体４を孔４Ａを利用して植え込みボルト(図示せず)等により固定する。この際には突起16を敷地の外側に向くように取り付ける。さらに、第１の柵３に隣接して同様に第２の柵３Ａを固定する。この連結は連結部材15の端の孔15Ａを利用してボルト、ナット（図示せず)により連結する。次に操作用頭部11を摘んでいったん雄螺子部材12を弛め、そして第１の支柱部７に対して第１の柵本体上部８を摺動して高さｈの調節を行う。そして、操作用頭部11を摘んで雄螺子部材12を締めてその先端を第１の柵本体上部８に当接し高さ調節して固定する。この際、第１及び第２の柵本体上部８，14は連結部材15を介して一体に設けられているので、第１の柵本体上部８を摺動することにより他の第２の柵本体上部14等も同時に摺動し、さらに固定手段９により第１の支柱部７に対して第１の柵本体上部８を固定すると同時に、第２の支柱部13に対して第２の柵本体上部14を固定することができる。同様に第２の柵３Ａの高さＨの調節を行なうものである。
【００２４】
また、図３に示すように、隣接する防護柵３，３´における前記連結部材15の隣接する端相互を連結するように、端に孔15Ａが設けられ、そしてこの孔15Ａに、上方より一方の連結固定手段たるボルト18及び座金18Ａを設け、一方下方より他方の連結固定手段たるナット19及び座金19Ａを設けて、ボルト18及びナット19を螺着して連結部材15の端相互を連結して固定している。
【００２５】
以上のように、前記実施例では請求項１に対応して、第１の支柱部７に第１の柵本体上部８を高さ調節自在に固定手段９により固定することで、取り付け状態等に応じて防護柵本体５の高さｈ，Ｈを自由に調節できる。
【００２６】
また、前記実施例では請求項２に対応して、取り付け体４を所定場所に取り付けることにより、複数の第１及び第２の柵本体５，６を同時に取り付けでき、また第１及び第２の支柱部７，13に第１及び第２の柵本体上部８，14を高さ調節自在に固定することで、防護柵本体５，６の高さｈ，Ｈを自由に調節できる。
【００２７】
さらに、前記実施例では請求項３に対応して、第１及び第２の柵本体上部８，14を連結部材15を介して一体に設けられているので、第１及び第２の支柱部７，13に第１及び第２の柵本体上部８，14を高さ調節自在に固定することで、防護柵本体５，６の高さｈ，Ｈを自由に調節でき、さらにいずれかの柵本体上部８，14を昇降すると他の柵本体上部８，14も同時に昇降するので、複数の柵本体上部８，14の高さ調節を容易に行なうことができる。さらに取り付け体４を所定場所に取り付けることにより、第１及び第２の柵本体５，６を同時に取り付けできる。
【００２８】
また、前記実施例では請求項４に対応して、筒状の支柱部７，13に軸状の柵本体上部８，14を挿入して昇降することにより、軸芯Ｚを一致できるようになり両者間の芯ずれが少なく高さ調節をすることができる。
【００２９】
さらに、前記実施例では請求項５に対応して、横向きの突起16を、連結部材15を介して設けることで、突起16を柵本体上部８，14に直接取り付けるようなことはなく、突起16の取り付けなどを容易に行なうことができる。
【００３０】
しかも、隣接する防護柵３，３´における連結部材15の端相互を連結固定手段たるボルト18及びナット19により連結して固定することで、複数横方向に並設する防護柵３，３´を確実に取り付けすることができる。
【産業上の利用可能性】
【００３１】
以上のように本考案にかかる防護柵は、直接地面より立設させるような用途にも適用できる。また、連結固定手段はボルト、ナットに限られるものではなく、種々のものを利用可能である。
【図面の簡単な説明】
【００３２】
【図１】本考案の実施例１を示す高さの異なる状態の斜視図である。
【図２】本考案の実施例１を示す断面図である。
【図３】本考案の実施例１を示す高さが同じ状態の斜視図である。
【符号の説明】
【００３３】
３  ３´  防護柵
４  取り付け体
５  第１の柵本体
６  第２の柵本体
７  第１の支柱部
７Ａ  外周側
７Ｂ  内周側
８  第１の柵本体上部
９  固定手段
12  螺子部材
13  第２の支柱部
14  第２の柵本体上部
15  連結部材
16  突起
18  ボルト(連結固定手段)
19  ナット(連結固定手段)
【図１】
0003103690.tif 000003
【図２】
0003103690.tif 000004
【図３】
0003103690.tif 000005